(57)【要約】      （修正有）【課題】省スペースかつ低コストであると共に多様な形態のイルミネーションが可能で、高い視覚的効果を得る環状の発光を可能とする光源装置を提供する。【解決手段】光源装置１は、複数のＬＥＤ光源７ａ〜７ｄと、ＬＥＤ光源７ａ〜７ｄから出射された光を導光して外周部２ａから出射する面状導光体２と、を備える。面状導光体２は、反射部２ｂを有しており、ＬＥＤ光源７ａ〜７ｄから出射された光は、該反射部２ｂによって反射され、または直接に面状導光体２の外周部に導光されて、該外周部から外部に出射される。【選択図】図１
2010170999.tif 000002
【特許請求の範囲】
【請求項１】
面状導光体と、
該面状導光体内に向けて光を出射する複数のＬＥＤ光源と、
該面状導光体内に設けられ、該ＬＥＤ光源から出射されて該面状光源内を導光される光を受けて該面状導光体の外周縁部に向けて反射する反射部と、
を有し、該面状導光体の外周部は、該外周部に至った該ＬＥＤ光源からの光を該面状導光体の外部へ射出するようになされた光源装置。
【請求項２】
該反射部と該面状導光体との間に境界面を有し、該反射部が該面状導光体よりも小さい屈折率を有し、該ＬＥＤ光源から該境界面に入射した光が全反射されて該外周部に指向されるようにされている請求項１に記載の光源装置。
【請求項３】
該反射部が、該面状導光体の表面及び裏面の一方から他方に向けて延びる開口とされている請求項２に記載の光源装置。
【請求項４】
該開口が、該面状導光体を貫通している請求項３に記載の光源装置。
【請求項５】
該反射部が、光反射率の高い樹脂材料で形成されている請求項１に記載の光源装置。
【請求項６】
該複数のＬＥＤ光源が、該反射部の周りに複数配置され、それぞれ、該反射部に向けて光を出射するようにされている請求項１乃至５のいずれかに記載の光源装置。
【請求項７】
該複数のＬＥＤ光源が、該面状導光体内に設けられている請求項６に記載の光源装置。
【請求項８】
該開口がスリットとされ、該ＬＥＤ光源が該面状導光体内で該スリットの両側にそれぞれ複数設けられている請求項３又は４に記載の光源装置。
【請求項９】
該ＬＥＤ光源が、該スリットの両側でそれぞれ一対設けられ、各対のＬＥＤ光源は、それぞれの発光面を該スリットを画定している長手方向壁面に対して斜めに対向するように配置されている請求項８に記載の光源装置。
【請求項１０】
該開口が多角形状とされている請求項３又は４に記載の光源装置。
【請求項１１】
該ＬＥＤ光源が、赤色ＬＥＤ素子、緑色ＬＥＤ素子及び青色ＬＥＤ素子を備えている請求項１乃至１０のいずれかに記載の光源装置。
【請求項１２】
該面状導光体が、導光フィルムで形成されている請求項１乃至１１のいずれかに記載の光源装置。
【請求項１３】
該面状導光体が表面及び裏面と、該外周部に沿って形成され、該ＬＥＤ光源から出射され該外周部に至った光を光路変更して該表面側から該面上導光体の外部に出射させる微細光学形状部を有している請求項１乃至１２のいずれかに記載の光源装置。
【請求項１４】
該面状導光体が、一対の外側層と、該外側層によって挟まれ該外側層よりも大きい屈折率を有する内側層を有する請求項１乃至１３のいずれかに記載の光源装置。
【請求項１５】
筐体と、
該筐体内に設定された請求項１乃至１４のいずれかに記載の光学装置と
を有し、
該筐体は、該光学装置における該面状導光体の該外周部を該筐体の外部に露出させるか、該外周部に隣接して該外周部から出射する光を該筐体の外部に出射させる透光部を備える電子機器。
【請求項１６】
通信機能の状況に応じて該光源装置の該ＬＥＤ光源を駆動するようにした携帯電話機とされた請求項１５に記載の電子機器。
【請求項１７】
各対のＬＥＤ光源において、対となるＬＥＤ光源の互いの光軸はスリットの長手方向の壁面に向かって互いに斜めに交差するようにされている請求項９に記載の光源装置。
【請求項１８】
複数の貫通孔を有し、外周部に出光部を有する面状導光体と、
該面状導光体の貫通孔内にそれぞれ配置されて、光を面状導光体内に出射する複数のＬＥＤ光源と、
該面状導光体内に設けられ、該面状光源の長手方向に延びる形状を有し、該ＬＥＤ光源から出射されて該面状光源内を導光される光を受けて該面状導光体の外周部に向けて反射する反射部とを有し、
該ＬＥＤ光源は該反射部の両側において、長手方向に平行な線上にそれぞれ一対のＬＥＤ光源が配置され、発光面を反射部の長手方向側面に斜めに対向させて配置されている光源装置。
【請求項１９】
該微細光学形状部が、該面状導光体の該外周部に沿ってリング状に形成されている請求項１３に記載の光源装置。
【発明の詳細な説明】
【技術分野】
【０００１】
本発明は、例えば携帯電話機の携帯電子機器のイルミネーション等の視覚的効果を向上させることができる光源装置に関し、特に、携帯電子機器の外周縁に沿って発光を生じることができるようにするための光源装置及びそれを用いた電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にも、着信を知らせるためや、デザイン性向上等のため、ＬＥＤ光源や液晶表示パネル又は有機ＥＬパネル等の簡易的なイルミネーション機構やディスプレイ機構が搭載されて背面照明や情報表示等を行う機器を備えたものがある。
【０００３】
携帯電話機等では、折り畳み可能な筐体を備えたものが多い。このような携帯電話機では、筐体の内側に設けられたメインの液晶表示装置だけでなく、筐体の外側にも、着信を知らせるためや、デザイン性向上等のため、ＬＥＤ光源や液晶表示パネル又は有機ＥＬパネル等の簡易的なイルミネーション機構を備えたものがある。
【０００４】
上述した携帯電子機器の外周縁に沿って発光を生じさせるためには、例えば特許文献１に開示された如き技術の利用が考えられる。この技術は、液晶表示面の周縁に沿って延在する導光チューブを設け、該導光チューブの一端から光を入射して該導光チューブ内を通しながら、その側面から内側で隣接する液晶表示面の周縁面を通して液晶表示面内に入光し、これにより該液晶表示面の前面を照射するものである。従って、この導光チューブを通る光を、内向きではない方向に出光することにより、上述のような携帯電子機器の外周縁に沿った発光が可能となる。しかし、導光チューブは円筒状のため、携帯電子機器の筐体内に広い収納スペースが必要になってしまう。また、導光チューブは途中で曲げることが困難なため、角にミラー等の反射構造が必要になり、部材コストやスペースの増大を招いてしまうと共に多様な形状やイルミネーションに対応することも難しい。さらに、導光チューブの端部に光源を配置していることから、その光源付近での外向きの出光はできず、従って、周方向の全長にわたって発光させることがでないため、環状のイルミネーションを得ることができない。
【先行技術文献】
【特許文献】
【０００５】
【特許文献１】特開２００１−３１８２３５号公報（特許請求の範囲、図６）
【発明の概要】
【発明が解決しようとする課題】
【０００６】
本発明は、前述の点に鑑みてなされたもので、省スペースかつ低コストであると共に多様な形態のイルミネーションが可能で、高い視覚的効果を得ることを可能とする光源装置及びそれを利用した電子機器を提供することを目的とする。
【課題を解決するための手段】
【０００７】
本発明は、
面状導光体と、
該面状導光体内に向けて光を出射する複数のＬＥＤ光源と、
該面状導光体内に設けられ、該ＬＥＤ光源から出射されて該面状光源内を導光される光を受けて該面状導光体の外周縁部に向けて反射する反射部と、
を有し
該面状導光体は、該外周部に、該外周部に至った該ＬＥＤ光源からの光を該面状導光体の外部に出射する出光部を有する光源装置を提供する。
【０００８】
この光源装置では、ＬＥＤ光源から出射された光は、面状導光体の外周部から発光されることになり、従って、環状の発光が可能となる。また、複数のＬＥＤ光源を使用しているので、反射部で反射されて面状導光体の外周部に達する光及び直接外周部に達する光が混色して、同外周部からは多彩な光が発光することが可能となる。また、面状導光体を使用しているので、携帯電話などの電子機器内にも小さなスペースで組み込むことができる。
【０００９】
具体的には、該反射部と該面状導光体との間に境界面を有し、該反射部が該面状導光体よりも小さい屈折率を有し、該ＬＥＤ光源から該境界面に入射した光が全反射されて該外周部に指向されるようにすることができる。
【００１０】
より具体的には、該反射部が、該面状導光体の表面及び裏面の一方から他方に向けて延びる開口とすることができ、該開口が当該面状導光体を貫通するようなものとすることが
反射部は、光反射率の高い樹脂材料で形成することもできる。
【００１１】
該複数のＬＥＤ光源が、該反射部の周りに複数配置され、それぞれ、該反射部に向けて光を出射するようにすることができる。面状導光体の外周部の全周から光の発光を行うときには、このようにすることが都合が良い。
【００１２】
該複数のＬＥＤ光源は、該面状導光体内に設けることが好ましい。ＬＥＤ光源は、面状導光体の外周部に取り付けるようにすることもできるが、面状導光体内に設けることにより、面状導光体の外周部に発光が行われない暗部を無くすることが可能となる。
【００１３】
開口を細長い開口すなわちスリットとし、複数のＬＥＤ光源を該面状導光体内で該スリットの両側に設けるようにすることができる。スリットを設けることにより面状導光体をその左右の領域に分け、それぞれの領域の外周部を独立性をもって発光させることができる。
【００１４】
具体的には、ＬＥＤ光源が、該スリットの両側でそれぞれ一対設けられ、各対のＬＥＤ光源は、その光軸が一方のＬＥＤ光源から他方のＬＥＤ光源側に向けて延び且つ該スリットを画定している長手方向壁面に対して斜めに交わるように配置することができる。このようにすることにより、ＬＥＤ光源の各対において、各ＬＥＤ光源から出射された単独の光及び相互に混色した光を面状導光体の外周部から出光することができる。
【００１５】
該開口は多角形状とすることもできる。すなわち、開口の形状は、面状導光体の外周部からの出光の所要の混色などに従って、種々の形状とすることができる。
【００１６】
該ＬＥＤ光源は、赤色ＬＥＤ素子、緑色ＬＥＤ素子及び青色ＬＥＤ素子を備えるようにし、それらＬＥＤ素子からの光の混色により種々の色の発光を可能にすることができる。
【００１７】
該面状導光体は、導光フィルムで形成することができる。導光フィルムは容易に種々の形状にカットすることができ、また、湾曲や屈曲も自在となり、より多様な形状の発光が可能となる。
【００１８】
該面状導光体が表面及び裏面と、該外周部に沿って線状又は帯状に形成され、該ＬＥＤ光源から出射され該外周部に至った光を光路変更して該表面側から該面上導光体の外部に出射させる微細光学形状部を有するようなものとすることができる。このような微細光学形状部を設けない場合には、光は外周部の周縁面から出射することになるが、微細光学形状部を設けることにより光を偏向し、面状導光体の表面から出射できるようにするものである。
【００１９】
該面状導光体が、一対の外側層と、該外側層によって挟まれ該外側層よりも大きい屈折率を有する内側層を有するものとすることができる。面状導光体内に入射された光の導光率をよくするためのものである。
【００２０】
本発明は、
筐体と、
該筐体内に設定された上述の如き光源装置と
を有し、
該筐体は、該光源装置における該面状導光体の該外周部を該筐体の外部に露出させるか、該外周部に隣接して該外周部から出射する光を該筐体の外部に出射させる透光部を備える電子機器を提供する
【００２１】
この電子機器は、通信機能の状況に応じて該光源装置の該ＬＥＤ光源を駆動するようにした携帯電話機とすることができる。
【００２２】
本発明はまた、
複数の貫通孔を有し、外周部に出光部を有する面状導光体と、
該面状導光体の貫通孔内にそれぞれ配置されて、光を面状導光体内に出射する複数のＬＥＤ光源と、
該面状導光体内に設けられ、細長い形状を有し、該ＬＥＤ光源から出射されて該面状光源内を導光される光を受けて該面状導光体の外周部に向けて反射する反射部とを有し、
該ＬＥＤ光源は該反射部の両側において、長手方向に平行な線上にそれぞれ一対のＬＥＤ光源が配置され、発光面を反射部の長手方向側面に斜めに対向させて配置されている光源装置を提供する。該微細光学形状部は、該面状導光体の該外周部に沿ってリング状に形成することができる。
【００２３】
以下、本発明に係る光源装置の実施形態を添付図面に基づき説明する。各図面では、各部材を認識可能な大きさとするために縮尺を適宜変更している。
【図面の簡単な説明】
【００２４】
【図１】本発明の第１の実施形態に係る光源装置の斜視図であり、該光源装置における光の伝搬態様を示している。
【図２】図１の光源装置の分解斜視図である。
【図３】図１の光源装置を組み込んだ携帯電話機（電子機器）を示す平面図である。
【図４】携帯電話機の筐体の支持板部上に設置された図１の光源装置を示す斜視図である。
【図５】携帯電話機の筐体の支持板部上に設置され、同筐体の遮光部材が載置された図１の光源装置を示す斜視図である。
【図６】図１の光源装置の平面図であり、同光源装置における発光領域を示している。
【図７】本発明の第２の実施形態に係るに係る光源装置の平面図であり、同光源装置における発光態様を示している。
【図８】図７の光源装置を組み込んだ携帯電話機（電子機器）の斜視図である。
【図９】図７の光源装置における面状導光体の変形例を示す要部の拡大断面図である。
【図１０】第３の実施形態に係る光源装置の斜視図である。
【発明を実施するための形態】
【００２５】
図１乃至図６に示すように、本発明の第１の実施形態に係る光源装置１は、折り畳み型の携帯電話機１０において枢動可能とされた蓋部分の筐体６内に設置されて、筐体６の表面の外周縁に沿って環状の光を出射させるものである。
【００２６】
光源装置１は、特に図２に示すように、４つのＬＥＤ光源７ａ〜７ｄと、各ＬＥＤ光源７ａ〜７ｄからの光を導光する面状導光体２と、面状導光体２の裏面に設置された反射シート３と、該反射シート３の周縁に沿って設けられ面状導光体２と反射シート３とを接着する環状の両面テープ４と、反射シート３の裏面に設置され各ＬＥＤ光源７ａ〜７ｄが実装されるフレキシブルプリント基板５と、を備えている。
【００２７】
面状導光体２は、光透過性を有するアクリル樹脂、ポリカーボネート又はシリコーン樹脂のフィルム等を図示のような略長方形など所要の形状にカットして形成されているが、樹脂成型とすることもできる。面状導光体２の表裏面は、内側への反射特性を向上させるために鏡面状態とされている。
【００２８】
面状導光体２には、その中央位置に当該面状導光体２の長さ方向に延びる反射部としての細長い開口すなわちスリット２ｂが設けられ、スリット２ｂを境にして２つの導光領域２Ａ，２Ｂに分けられている。各導光領域２Ａ、２Ｂには、スリット２ｂの長さ方向で間隔をあけて設けられた一対の貫通孔２ｃが設けられ、各貫通孔内にはＬＥＤ光源７ａ、７ｂ、７ｃ、７ｄが設けられ、ＬＥＤ光源７ａ、７ｂ、７ｃ、７ｄの発光面は、各貫通孔の断面と対向配置されて面状導光体２内に光を入射するようにされている。
【００２９】
各導光領域に設けられた対をなすＬＥＤ光源７ａ、７ｂ及びＬＥＤ光源７ｃ、７ｄは、互いの光軸ＡＸをスリット２ｂの長手方向壁面に対して斜めに交わるように、発光面をスリット２ｂの長手方向壁面に対して斜めに対向配置され、それぞれ対となるＬＥＤ光源は、スリット２ｂの長手方向に平行な線上に配置されている。各貫通孔２ｃは、設置されるＬＥＤ光源７ａ〜７ｄの外形及び向きを考慮した矩形状に形成されている。
【００３０】
面状導光体２の表面には、その外周部２ａに沿った細く延びたリング状として形成された微細光学形状部２ｄが設けられており、ＬＥＤ光源７ａ〜７ｄから出射されて面状導光体２内を通されて該微細光学形状部２ｄに至った光が、面状導光体の外側に出射されるようにされている。この微細光学形状部２ｄは、光が出射される表面に設けても良いし、面状導光体２の裏面に形成して、面状導光体２の表面から上方に向けて光をリング状に出射させるようにすることもできる。表面又は裏面に対するレーザ加工又は白インク印刷等による複数の凸状ドットで構成されたものや、レーザ加工による複数の微細な溝で構成されたものなどとすることができる。電子機器の筐体６には、その筐体の外周部に沿って透光部６ａが設けられ、面光導光体２の微細光学形状部２ｄは該透光部６ａの裏側に近接配置され、該微細光学形状部２ｄにより面状導光体２から出た光は、該透光部６ａを通って、筐体６の外部に出射されるようになされている。
【００３１】
本実施形態におけるＬＥＤ光源７ａ〜７ｄは、赤色ＬＥＤ素子、緑色ＬＥＤ素子及び青色ＬＥＤ素子を備えたＲＧＢ−ＬＥＤである。フレキシブルプリント基板５は、各ＬＥＤ光源７ａ〜７ｄの設置位置に対応した形状とされ、各ＬＥＤ光源７ａ〜７ｄと電気的に接続される回路パターンが形成されている。
【００３２】
反射シート３は、光反射機能を有する金属板、フィルム、箔等、銀蒸着膜を設けたフィルムや、アルミ金属蒸着膜を設けたフィルムなどが採用可能であり、本実施形態では、白色シートを用いている。反射シート３には、スリット２ｂ及び貫通孔２ｃの直下領域が切り抜かれている。
【００３３】
筐体６は、光源装置１の下面側に配されて光源装置１を支持する支持板部１３を備えている。遮光部材１２は、リング状の透光部６ａよりも内側においてＬＥＤ光源やスリットを覆うように設けられた不透光な材料で形成されたものであるが、内部のＬＥＤ光源７ａ〜７ｄやスリット２ｂを覆うことで、これらを外部から隠している。遮光部材１２は筐体６と一体として設けることも出来るし、図５のように面状光源の外周部内側に、面状光源の上面に設けることも出来る。支持板部１３には、スリット２ｂに嵌め込まれる長方形状の凸部１３ａが形成されている。該凸部１３ａがスリット２ｂ内に嵌め込まれることで、スリット２ｂにおける導光領域２Ａ，２Ｂ間の遮光効果がさらに向上する。凸部１３ａに白色樹脂を用いた場合は、漏れ光が反射して導光性能が向上し、輝度が明るくなる。
【００３４】
携帯電話機１０は、図示しない制御部によって通信機能の状況に応じて光源装置１を制御可能としている。すなわち、通話や電子メールの送受信時などに各ＬＥＤ光源７ａ〜７ｄの発光が制御されて、設定された点滅や発光色で面状導光体の外周部２ａから出射された光が透光部６ａを透過して外部に出射される。
【００３５】
本実施形態の光源装置１では、各導光領域２Ａ、２Ｂに配された一対のＬＥＤ光源７ａ、７ｂ及び一対のＬＥＤ光源７ｃ、７ｄから出射された光は、直接又はスリット２ｂを画定している長手方向壁面によって全反射されて外周部２ａへと導光されて該外周部２ａから微細光学形状部２ｄを介して全体としてリング状となって出射される。
【００３６】
各導光領域２Ａ，２ＢのＬＥＤ光源７ａ、７ｂ、７ｃ、７ｄについて、光量及び発光色の少なくとも一方をそれぞれ制御することで、外周部２ａから出射される光の光量や発光色を、図６に示すように、導光領域２ＡにおけるＬＥＤ光源７ａ、７ｂの背後にある外周部２ａの２領域Ｌ１、Ｌ３と、ＬＥＤ光源７ａ、７ｂの間にある外周部２ａにおける１領域Ｌ２と、導光領域２ＢにおけるＬＥＤ光源７ｃ、７ｄの背後にある外周部２ａの２領域Ｌ６、Ｌ４と、ＬＥＤ光源７ｃ、７ｄの間にある外周部２ａにおける１領域Ｌ５と、で様々に変えることができる。具体的には、領域Ｌ２、Ｌ５では、それぞれ、相互に向かい合うＬＥＤ光源７ａ、７ｂの光、ＬＥＤ光源７ｃ、７ｄの光が混色して出射され、領域Ｌ１、Ｌ３、Ｌ４、Ｌ６では、それぞれ対向するＬＥＤ光源７ｂ、７ａ、７ｃ、７ｄからの光だけがそれぞれ出射される。
【００３７】
例えば、図６に示すように、ＬＥＤ光源７ａ及びＬＥＤ光源７ｄから緑色、ＬＥＤ光源７ｂから青色、ＬＥＤ光源７ｃから赤色を、それぞれ出射させた場合、外周部２ａにおける発光領域Ｌ１から青色、発光領域Ｌ２から青色と緑色との混色、発光領域Ｌ３から緑色、発光領域Ｌ４から赤色、発光領域Ｌ５から赤色と緑色との混色、発光領域Ｌ６から緑色を、それぞれ外部に出射させることができる。このように、導光領域２Ａ、２Ｂ毎にそれぞれ異なる光り方の３つの発光領域を２組得ることができ、リング状の外周部２ａに６つの発光領域Ｌ１〜Ｌ６を設けることができる。
【００３８】
導光領域２Ａ、２Ｂの外周部２ａは、実質的に分離した状態で発光することが可能であり、その為には、スリット２ｂを少なくともＬＥＤ光源７ａ〜７ｄの発光面を超える所まで延在する長さとすることが好ましい。それぞれ対となるＬＥＤ光源は、スリット２ｂを間にして発光領域２Ａと２Ｂにおいて、スリット２ｂの長手方向に平行な線上に配置され、それぞれの光軸がスリット２ｂの側壁に斜めに交わるよう配置されているが、スリット２ｂを短くすれば、導光領域２Ａ、２Ｂの光が混じる領域が生じ、このスリット２ｂの長さを調整することで、その混色領域の範囲を調整することが可能である。ＬＥＤ光源７ａ〜７ｄのうち一つを選んで点灯させた場合、外周部２ａのうち、４分の１の領域を選択的に光らせることも可能である。面状導光体２が、可撓性を有する導光フィルムで形成されているので、フィルムのカットで面状導光体２が容易に作製可能であると共に、湾曲や屈曲も自在となり、より多様な形状のイルミネーション光を実現することができる。
【００３９】
携帯電話機１０では、通信機能の状況に応じて光源装置１を制御可能であるので、通話や電子メールの送受信等の通信機能の状況に応じて筐体６の表面外周を環状に光らせるイルミネーション効果で通信状況等の高い視認性を得ることができる。
【００４０】
次に、本発明の他の実施形態について、図７から図１０を参照して以下に説明する。なお、以下の各実施形態の説明において、上記実施形態において説明した同一の構成要素には同一の符号を付し、その説明は省略する。
【００４１】
図７及び図８に示す第２実施形態では、面状導光体２２の外周部２２ａに微細光学形状部２ｄが形成されておらず、導光された光が外周部２２ａの外周面から側方に出射されるようになっている。
【００４２】
図８に示す携帯電話機２０は、筐体２６の外周側面に透明又は半透明な材料で形成された線状又は帯状の透光部２６ａが環状に設けられ、この透光部２６ａの内面側に面状導光体２２の外周部２２ａの外周端面が近接状態に配されている。
【００４３】
第２実施形態では、面状導光体２２の表面又はその裏面の一部に、該面状導光体内を導光される光を光路変更して表面側から出射させる微細光学形状が施された局所的発光領域Ｌ７が形成されている。この局所的発光領域Ｌ７の微細光学形状は、面状導光体２２の表面又はその裏面に形成され、レーザ加工又は白インク印刷等による複数の凸状ドットで構成されたものや、レーザ加工による複数の溝部で構成されたものなどが採用可能である。
【００４４】
さらに、第２実施形態では、スリット２ｂ内に携帯電話機２０の背面サブパネルとして
情報を表示可能な液晶表示パネル２３が嵌め込まれている。筐体２６の遮光部材１２には、液晶表示パネル２３及び局所的発光領域Ｌ７の直上領域に透光材料で形成された窓部２６ｂ、２６ｃがそれぞれ設けられている。すなわち、これら窓部２６ｂ、２６ｃを介して、液晶表示パネル２３の表示が視認可能であると共に、局所的発光領域Ｌ７からの光が外部に出射される。
【００４５】
液晶表示パネル２３は、透過型又は半透過型の液晶表示パネルが採用される。例えば、透過型の液晶表示パネルの場合、透明電極、配向膜及び偏光板をそれぞれ有する上基板と下基板との間隙に液晶材料をシール材で封止したＴＦＴ液晶方式、ＳＴＮ液晶方式やＴＮ液晶方式等のパネル本体を備えたものである。
【００４６】
このように第２実施形態では、面状導光体２２の外周端面から導光した光が出射されるので、筐体２６の外周側面から高輝度で細く長い線状光をリング状に出射させることができる。
スリット２ｂ内に液晶表示パネル２３が設置されるので、面状導光体２２と液晶表示パネル２３とが重なって全体が厚くなることを防ぐことができる。局所的発光領域Ｌ７から表面側に光が出射されて筐体２６の背面から出射されるので、外周部２２ａのイルミネーション効果に加えて背面におけるワンポイント的なイルミネーション効果を得ることができる。
【００４７】
図９は、面状導光体３２は面状導光体２２の変形例を示す要部断面図であり、外側層３２ａ、３２ａと、これら外側層３２ａよりも屈折率の高い材料で形成された内側層３２ｂとの三層からなる導光フィルムで構成されている。面状導光体３２をこのような三層構造とすることにより導光率及び外周部での輝度を高くすることができる。外側層３２ａ及び内側層３２ｂをそれぞれ複数層で構成することもできる。
【００４８】
図１０に示す第３の実施形態に係る面状導光体４２は、その中央部分に設けられる反射部２ｂが面状導光体４２の長さ方向に延びる細長い八角形とされている。この反射部は、上述の実施形態と同様に開口として形成することも、また、その開口に該面状導光体４２よりも屈折率の低い樹脂材料や反射性の高い白色などの材料を充填して形成することもできる。このようにすることにより、ＬＥＤ光源からの光の混色を、上述の実施形態のものに比べてより複雑なものとすることが可能となる。図１０は、反射部の変形例の１つを示すものであり、その他種々のものとして、面状導光体の外周部２ａから出射される光の混色の調整を行うことができる。
【００４９】
なお、本発明は上記各実施形態に限定されるものではなく、本発明の趣旨を逸脱しない範囲において種々の変更を加えることができる。
【００５０】
例えば、上述の実施形態においては、ＬＥＤ光源が面状導光体内に設けられているが、外周部に取り付けて光を反射部に指向させるようにすることも可能である。
【００５１】
上記各実施形態では、本発明の光源装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機等に本発明の光源装置を搭載しても良い。
また、本発明の光源装置を携帯電話機に搭載したが、ＰＤＡ、ノート型パーソナルコンピュータ（ノートＰＣ）、電子辞書、デジタルカメラ、携帯ミュージックプレーヤー等の他の電子機器に採用しても構わない。さらに、本発明の光源装置を、壁掛けディスプレイや看板等に搭載しても構わない。
【００５２】
また、上記各実施形態では、面状導光体が比較的柔らかく薄いアクリルシート又はシリコーン樹脂で形成されているので、その外周部を、筐体の表面に設けた透光部に近接させて該筐体内に設置しているが、硬質なポリカーボネートやアクリル樹脂で面状導光体を形成した場合、その外周部を、筐体の表面に直接露出させて光らせることもできる。
【００５３】
さらに、上記各実施形態では、様々な色のイルミネーション光を出射させるため、ＲＧＢ−ＬＥＤのＬＥＤ光源を採用しているが、単色のイルミネーション光を光量調整して出射させるだけの場合、白色ＬＥＤ等の単色ＬＥＤを採用しても構わない。また、上記各実施形態では、面状導光体に長方形状の長孔であるスリットを形成しているが、ＬＥＤ光源から入射された光の反射を調整するために、内側面にプリズム部等を形成したり、内側面の延在方向を調整してスリット形状を変更することもできる。また、上記各実施形態では、４つのＬＥＤ光源を１つのスリットで２組に分けているが、３対以上のＬＥＤ光源を複数のスリットで３組以上に分けることもできる。
【符号の説明】
【００５４】
１，２１…光源装置、２，２２，３２…面状導光体、２Ａ，２Ｂ…導光領域、２ａ…面
状導光体の外周部、２ｂ…スリット、２ｃ…貫通孔、２ｄ…微細光学形状部、６，２６…
筐体、６ａ…透光部、７ａ〜７ｄ…ＬＥＤ光源、１０，２０…携帯電話機（電子機器）、
３２ａ…第１屈折率層、３２ｂ…第２屈折率層、ＡＸ…ＬＥＤ光源の光軸
【図１】
2010170999.tif 000003
【図２】
2010170999.tif 000004
【図３】
2010170999.tif 000005
【図４】
2010170999.tif 000006
【図５】
2010170999.tif 000007
【図６】
2010170999.tif 000008
【図７】
2010170999.tif 000009
【図８】
2010170999.tif 000010
【図９】
2010170999.tif 000011
【図１０】
2010170999.tif 000012